(57)【特許請求の範囲】
【請求項１】
省エネルギの程度を競う競技であるエコレースを実施するために必要なエコレース情報を記憶するためのエコレース情報記憶手段と、
ネットワークに接続され、前記エコレース情報記憶手段に記憶されたエコレース情報に基づき、当該エコレース情報に対応するエコレースへの複数の参加者を、前記ネットワークを介して募集するための参加者募集手段と、
前記参加者募集手段により募集された参加者の各々に関する情報を記憶するための参加者情報記憶手段とを含むエネルギ管理サーバであって、
前記参加者の施設の各々には、当該施設で消費されるエネルギ量を集計するための集計手段が設けられ、かつ当該集計手段は前記ネットワークに接続されており、
前記エネルギ管理サーバはさらに、
前記ネットワークに接続され、当該ネットワークを介して、各参加者の施設で消費されるエネルギ量に関する情報を、各参加者の施設に設けられた前記集計手段から周期的に収集し記憶するためのエネルギ消費量情報収集・記憶手段と、
前記エコレース情報記憶手段に記憶されたエコレース情報に基づき、エコレースの終期が到来したことに応答して、前記参加者情報記憶手段に記憶された参加者の情報と、前記エネルギ消費量情報収集・記憶手段に記憶された、各参加者の施設におけるエネルギ消費量に関する情報とに基づいて、前記エコレースにおける参加者の順位を決定するための順位決定手段とを含み、
前記エネルギ消費量情報収集・記憶手段は、
前記ネットワークに接続され、当該ネットワークを介して、各参加者の施設で消費されるエネルギ量に関する情報を、各参加者の施設に設けられた前記集計手段から定期的に収集するためのエネルギ消費量収集手段と、
前記エネルギ消費量収集手段により各参加者の施設から定期的に収集されたエネルギ消費量を、各参加者の施設について、エコレースの開始時から累計するためのエネルギ消費量累計手段と、
各参加者の施設について、前記エネルギ消費量収集手段により当日収集されたエネルギ消費量と、前記エネルギ消費量累計手段により累計された累計エネルギ消費量とを記憶するためのエネルギ消費量記憶手段とを含み、
前記エネルギ管理サーバはさらに、前記ネットワーク及び前記エネルギ消費量記憶手段に接続され、前記ネットワークを介して、参加者を特定して、あるエコレースにおける順位の問い合わせがあったことに応答して、前記エコレース情報に基づいて当該特定された参加者のその時点での順位を算出し、当該順位を返信するための順位返信手段を含み、
前記順位返信手段は、前記ネットワーク及び前記エネルギ消費量記憶手段に接続され、前記ネットワークを介して、参加者を特定して、あるエコレースへの順位の問合わせがあったことに応答して、前記エコレース情報及び前記エネルギ消費量記憶手段に記憶された情報に基づいて、当該特定された参加者のその時点での累計エネルギ消費量に基づく累計順位と、当該特定された参加者の当日のエネルギ消費量に基づく当日順位とを算出し、当該累計順位と当日順位とを返信するための手段を含む、エネルギ管理サーバ。
【請求項２】
請求項１に記載のエネルギ管理サーバであって、
前記参加者情報記憶手段が記憶する参加者情報は、
当該参加者の識別子と、
前記ネットワークを介して当該参加者に連絡をとるための、前記ネットワーク上の通知先に関する通知先情報とを含み、
前記エコレース情報は、
エコレースにおける各参加者の施設における消費エネルギ量に基づき、各参加者に対する評価値を決定するための評価方法を特定する評価式と、
エコレースの順位にしたがって、各参加者に対して提供される特典に関する特典情報とを含み、
前記順位決定手段は、前記エコレース情報記憶手段に記憶されたエコレース情報に基づき、エコレースの終期が到来したことに応答して、前記参加者情報記憶手段に記憶された参加者の情報と、前記エネルギ消費量情報収集・記憶手段に記憶された、各参加者の施設におけるエネルギ消費量に関する情報と、前記エコレース情報内の前記評価式とに基づいて、前記エコレースにおける参加者の順位を決定するための手段を含み、
前記エネルギ管理サーバはさらに、
前記ネットワークに接続され、前記順位を決定するための手段により各参加者のエコレースにおける順位が決定されたことに応答して、前記順位を決定するための手段により決定された、各参加者のエコレースにおける順位に応じ、特典が提供される参加者の通知先情報に基づき、該当する特典に関する特典情報を参加者の通知先に送信するための特典情報通知手段を含む、エネルギ管理サーバ。
【請求項３】
請求項１又は請求項２に記載のエネルギ管理サーバであって、前記順位返信手段は、前記ネットワーク及び前記エネルギ消費量記憶手段に接続され、前記ネットワークを介して、参加者を特定して、あるエコレースにおける順位の問い合わせがあったことに応答して、前記エコレース情報に基づいて当該特定された参加者のその時点での順位を算出し、当該順位を、当該エコレースへの全参加者数とともに返信するための手段を含む、エネルギ管理サーバ。
【請求項４】
請求項１から請求項３のいずれか１項に記載のエネルギ管理サーバであって、
前記集計手段の各々は、前記参加者の施設において消費されるエネルギ総量と、当該施設において、環境負荷を与えない発電資源によって発電された発電電力量と、当該発電電力量のうちで、当該施設において消費された電力量とを集計する手段を含み、
前記エネルギ消費量情報収集・記憶手段は、前記ネットワークに接続され、当該ネットワークを介して、各参加者の施設で消費されるエネルギ総量と、当該施設において、環境負荷を与えない発電資源によって発電された発電電力量と、当該発電電力量のうちで、当該施設において消費された電力量に関する情報とを、各参加者の施設に設けられた前記集計手段から周期的に収集し記憶するための手段を含み、
前記エコレース情報が含む評価式は、各需要家の施設での総消費エネルギ消費量に対し、当該需要家の施設において、環境負荷を与えない発電資源によって発電され、かつ当該需要家の施設において消費されたエネルギ消費量の割合を算出する式である、エネルギ管理サーバ。
【請求項５】
請求項１から請求項４のいずれか１項に記載のエネルギ管理サーバであって、さらに、前記ネットワークに接続され、前記ネットワークを介し、エコレースの主催者からエコレース情報の入力を受信し、前記エコレース情報記憶手段に保存するための手段をさらに含む、エネルギ管理サーバ。
【請求項６】
請求項１から請求項５のいずれか１項に記載のエネルギ管理サーバであって、さらに、前記ネットワークに接続され、前記エコレース情報記憶手段に記憶されたエコレース情報に基づき、実施期間開始前のエコレースに関する開催情報を前記ネットワークに接続された各前記集計手段に送信するための開催情報送信手段を含む、エネルギ管理サーバ。
【請求項７】
請求項１から請求項６のいずれか１項に記載のエネルギ管理サーバであって、
前記参加者情報記憶手段が記憶する参加者情報は、
当該参加者の識別子と、
前記ネットワークを介して当該参加者に連絡をとるための、前記ネットワーク上の通知先に関する通知先情報とを含み、
前記エネルギ管理サーバはさらに、前記ネットワークに接続され、複数の参加者の評価の差に基づいて、順位を上げるための情報を参加者の通知先に送信するための手段を含む、エネルギ管理サーバ。
【発明の詳細な説明】
【技術分野】
【０００１】
本発明は、家庭での電力エネルギの消費量を管理するエネルギ管理サーバに関し、特に家庭での電力エネルギの消費量の低減に継続的に取組むことを可能とするエネルギ管理サーバに関する。
【背景技術】
【０００２】
現在、地球温暖化防止のため、電力消費量の削減、並びに、環境負荷の少ない太陽光発電、地熱発電、及びバイオマス発電といったグリーン電力の使用が切実に求められている。そのような背景のもと、家庭での消費電力の削減を実現するため、利用者の環境に対する意識を改善し、さらに省エネルギ（以下「省エネ」と省略する。）を実現するシステムが多数提案されている。さらに近年では、いかに省エネに継続的に取組むかを重視したシステムの提案がなされ始めている。
【０００３】
例えば特開２００６−１６３６１０号公報は、家庭での省エネ活動に対しインセンティブを与えることによって省エネ効果の持続を目指した発明を開示している。この発明は、省エネのための管理サーバに参加者登録をし、登録者ごと省エネの目標を設定する。本実施の形態では、目標としては、前年のエネルギ使用実績と、同地域同一契約体系の需要家の電力使用量の前年分の平均値との差に基づいて計算されるエネルギ削減量の目標が使用される。ただしこの目標の定め方は一通りではなく、種々の事情を勘案して目標が作成される。
【０００４】
その後、登録者についてエネルギ消費量の実績を記録して、目標に対する省エネ削減量の達成度合いに応じてポイントを付加する。例えばエネルギ消費量の削減目標を達成できれば１０ポイント、削減目標の５０％を削減できれば５ポイント、等である。登録者は、そのポイントの合計を利用して商品等を購入できる。
【先行技術文献】
【特許文献】
【０００５】
【特許文献１】特開２００６−１６３６１０号公報
【発明の概要】
【発明が解決しようとする課題】
【０００６】
特許文献１に記載の技術では、地域の平均の消費電力量と、自家庭の前年の消費電力量との差から目標を設定し、ポイントを付与している。この方法では、何度か省エネ活動を繰返すと省エネ効果が上がらなくなって、ポイントの獲得が難しくなり、ユーザのやる気が低下してしまうという問題がある。そのような状況になると、各家庭が継続的に省エネ活動に取組むことができなくなるおそれがある。さらに、特許文献１に記載の技術では、ポイントを発行する者にとってどのようなメリットがあるかが分かりにくいという問題がある。例えば電力会社がポイントを発行する場合、電力会社は電力が消費されるほど収入が得られるため、消費を減らすためのポイントを発行するインセンティブがない。電力の総消費量を削減することによって設備投資を抑制したり、電力の安定供給が可能になったりするという利点はあるかも知れないが、それらが継続的な省エネ活動にポイントを付与することに対する強いインセンティブとなることはないと考えられる。その結果、上記したようなポイント付与システムを維持することも長期的には難しくなるおそれがある。
【０００７】
本発明は上記問題を解決するためになされたもので、省エネ活動を長期的に継続することが可能で、省エネ効果を持続的に得ることができるエネルギ管理サーバを提供することを目的とする。
【課題を解決するための手段】
【０００８】
本発明の第１の局面に係るエネルギ管理サーバは、省エネの程度を競う競技であるエコレースを実施するために必要なエコレース情報を記憶するためのエコレース情報記憶手段と、ネットワークに接続され、エコレース情報記憶手段に記憶されたエコレース情報に基づき、当該エコレース情報に対応するエコレースへの複数の参加者を、ネットワークを介して募集するための参加者募集手段と、参加者募集手段により募集された参加者の各々に関する情報を記憶するための参加者情報記憶手段とを含むエネルギ管理サーバである。参加者の施設の各々には、当該施設で消費されるエネルギ量を集計するための集計手段が設けられている。当該集計手段はネットワークに接続されている。エネルギ管理サーバはさらに、ネットワークに接続され、当該ネットワークを介して、各参加者の施設で消費されるエネルギ量に関する情報を、各参加者の施設に設けられた集計手段から周期的に収集し記憶するためのエネルギ消費量情報収集・記憶手段と、エコレース情報記憶手段に記憶されたエコレース情報に基づき、エコレースの終期が到来したことに応答して、参加者情報記憶手段に記憶された参加者の情報と、エネルギ消費量情報収集・記憶手段に記憶された、各参加者の施設におけるエネルギ消費量に関する情報とに基づいて、エコレースにおける参加者の順位を決定するための順位決定手段とを含む。
【０００９】
エコレース情報がエコレース情報記憶手段に接続されると、参加者募集手段がエコレースへの参加者を募集する。参加者情報は参加者情報記憶手段に記憶される。エコレースでは、参加者の施設に設けられた集計手段がその施設で消費されるエネルギ量を集計する。集計された情報はネットワークを介してエネルギ消費量情報収集・記憶手段に収集され、記憶される。エコレースの終期が到来すると、順位決定手段が、参加者の情報と、エネルギ消費量情報収集・記憶手段に記憶された各参加者のエネルギ消費量に関する情報とに基づき、エコレースにおける参加者の順位を決定する。
【００１０】
省エネ活動が、複数の参加者の間での競技の形で実行される。競技の形で省エネ活動が行なわれるため、参加者にとっては他の参加者よりよい評価を得たいという欲求がある。そのため、省エネ活動の実効を挙げることができる。エコレースは繰返し実行できるので、参加者は常に新鮮に省エネ活動を行なうことができる。
【００１１】
好ましくは、参加者情報記憶手段が記憶する参加者情報は、当該参加者の識別子と、ネットワークを介して当該参加者に連絡をとるための、ネットワーク上の通知先に関する通知先情報とを含む。レース情報は、エコレースにおける各参加者の施設における消費エネルギ量に基づき、各参加者に対する評価値を決定するための評価方法を特定する評価式と、エコレースの順位にしたがって、各参加者に対して提供される特典に関する特典情報とを含む。順位決定手段は、エコレース情報記憶手段に記憶されたエコレース情報に基づき、エコレースの終期が到来したことに応答して、参加者情報記憶手段に記憶された参加者の情報と、エネルギ消費量情報収集・記憶手段に記憶された、各参加者の施設におけるエネルギ消費量に関する情報と、エコレース情報内の評価式とに基づいて、エコレースにおける参加者の順位を決定するための手段を含む。エネルギ管理サーバはさらに、ネットワークに接続され、順位を決定するための手段により各参加者のエコレースにおける順位が決定されたことに応答して、順位を決定するための手段により決定された、各参加者のエコレースにおける順位に応じ、特典が提供される参加者の通知先情報に基づき、該当する特典に関する特典情報を参加者の通知先に送信するための特典情報通知手段を含む。
【００１２】
より好ましくは、エネルギ消費量情報収集・記憶手段は、ネットワークに接続され、当該ネットワークを介して、各参加者の施設で消費されるエネルギ量に関する情報を、各参加者の施設に設けられた集計手段から定期的に収集するためのエネルギ消費量収集手段と、エネルギ消費量収集手段により各参加者の施設から毎日収集されたエネルギ消費量を、各参加者の施設について、エコレースの開始時から累計するためのエネルギ消費量累計手段と、各参加者の施設について、エネルギ消費量収集手段により当日収集されたエネルギ消費量と、エネルギ消費量累計手段により累計された累計エネルギ消費量とを記憶するためのエネルギ消費量記憶手段とを含む。エネルギ管理サーバはさらに、ネットワーク及びエネルギ消費量記憶手段に接続され、ネットワークを介して、参加者を特定して、あるエコレースにおける順位の問い合わせがあったことに応答して、エコレース情報に基づいて当該特定された参加者のその時点での順位を算出し、当該順位を返信するための順位返信手段を含む。
【００１３】
さらに好ましくは、順位返信手段は、ネットワーク及びエネルギ消費量記憶手段に接続され、ネットワークを介して、参加者を特定して、あるエコレースにおける順位の問い合わせがあったことに応答して、エコレース情報に基づいて当該特定された参加者のその時点での順位を算出し、当該順位を、当該エコレースへの全参加者数とともに返信するための手段を含む。
【００１４】
順位返信手段は、ネットワーク及びエネルギ消費量記憶手段に接続され、ネットワークを介して、参加者を特定して、あるエコレースへの順位の問合わせがあったことに応答して、エコレース情報及びエネルギ消費量記憶手段に記憶された情報に基づいて、当該特定された参加者のその時点での累計エネルギ消費量に基づく累計順位と、当該特定された参加者の当日のエネルギ消費量に基づく当日順位とを算出し、当該累計順位と当日順位とを返信するための手段を含んでもよい。
【００１５】
好ましくは、集計手段の各々は、参加者の施設において消費されるエネルギ総量と、当該施設において、環境負荷を与えない発電資源によって発電された発電電力量と、当該発電電力量のうちで、当該施設において消費された電力量とを集計する手段を含む。エネルギ消費量情報収集・記憶手段は、ネットワークに接続され、当該ネットワークを介して、各参加者の施設で消費されるエネルギ総量と、当該施設において、環境負荷を与えない発電資源によって発電された発電電力量と、当該発電電力量のうちで、当該施設において消費された電力量に関する情報とを、各参加者の施設に設けられた集計手段から周期的に収集し記憶するための手段を含む。エコレース情報が含む評価式は、各需要家の施設での総消費エネルギ消費量に対し、当該需要家の施設において、環境負荷を与えない発電資源によって発電され、かつ当該需要家の施設において消費されたエネルギ消費量の割合を算出する式である。
【００１６】
より好ましくは、エネルギ管理サーバはさらに、ネットワークに接続され、ネットワークを介し、エコレースの主催者からエコレース情報の入力を受信し、エコレース情報記憶手段に保存するための手段をさらに含む。
【００１７】
エネルギ管理サーバはさらに、ネットワークに接続され、エコレース情報記憶手段に記憶されたエコレース情報に基づき、実施期間開始前のエコレースに関する開催情報をネットワークに接続された各集計手段に送信するための開催情報送信手段を含んでもよい。
【００１８】
本発明の第２の局面に係るコンピュータプログラムは、ネットワークに接続されるコンピュータを、省エネの程度を競う競技であるエコレースを実施するために必要なエコレース情報を記憶するためのエコレース情報記憶手段と、ネットワークに接続され、エコレース情報記憶手段に記憶されたエコレース情報に基づき、当該エコレース情報に対応するエコレースへの複数の参加者を、ネットワークを介して募集するための参加者募集手段と、参加者募集手段により募集された参加者の各々に関する情報を記憶するための参加者情報記憶手段として機能させる。参加者の施設の各々には、当該施設で消費されるエネルギ量を集計するための集計手段が設けられる。当該集計手段はネットワークに接続されている。このコンピュータプログラムはさらに、コンピュータを、ネットワークに接続され、当該ネットワークを介して、各参加者の施設で消費されるエネルギ量に関する情報を、各参加者の施設に設けられた集計手段から周期的に収集し記憶するためのエネルギ消費量情報収集・記憶手段と、エコレース情報記憶手段に記憶されたエコレース情報に基づき、エコレースの終期が到来したことに応答して、参加者情報記憶手段に記憶された参加者の情報と、エネルギ消費量情報収集・記憶手段に記憶された、各参加者の施設におけるエネルギ消費量に関する情報とに基づいて、エコレースにおける参加者の順位を決定するための順位決定手段として機能させる。
【発明の効果】
【００１９】
以上のように本発明によれば、省エネ活動が、複数の参加者の間での競技の形で実行されるため、省エネ活動の実効を挙げることができ、省エネ活動を継続的に行なうことができる。その結果、省エネ活動を長期的に継続することが可能で、省エネ効果を持続的に得ることができるエネルギ管理サーバを提供することができる。
【図面の簡単な説明】
【００２０】
【図１】本発明の第１の実施の形態に係る省エネ推進システムの概略を説明するための構成図である。
【図２】実施の形態の概略構成を示す図である。
【図３】サービスサーバ１０１のより詳細な構成を示す図である。
【図４】エコレース管理サーバ１０２のより詳細な構成を示す図である。
【図５】ＨＥＭＳ装置１０３のより詳細な構成を示す図である。
【図６】サービス事業者がエコレースの開催を決定し、エコレース管理サーバ１０２に開催するエコレースの情報を登録するまでの処理を示す図である。
【図７】サービスサーバ１０１がエコレース管理サーバ１０２に対して登録を依頼する際の、エコレースの情報の例を示す図である。
【図８】レース情報管理部２１７で管理されている、エコレースの基本情報を示す図である。
【図９】ユーザがエコレースへの参加登録を行なう処理を示すフローチャートである。
【図１０】エコレース管理サーバのユーザ情報管理部に記憶されるユーザ情報の構成を示す図である。
【図１１】エコレース期間中の順位の決定処理を実現するプログラムの制御構造を示すフローチャートである。
【図１２】レース情報管理部２１７で保存している、参加者情報の構成を示す図である。
【図１３】ＨＥＭＳ装置１０３から送信される評価値の例を示す図である。
【図１４】ＨＥＭＳ装置１０３で順位を表示する処理を実現するプログラムのフローチャートである。
【図１５】ＨＥＭＳ装置１０３での順位の表示画面例を示す図である。
【図１６】エコレース終了時の、特典の提供と、ユーザへの順位の通知とを実現するプログラムの制御構造を示すフローチャートである。
【発明を実施するための形態】
【００２１】
以下の説明及び図面において、同一の部品には同一の参照番号を付してある。それらの名称及び機能も同一である。したがってそれらについての詳細な説明は繰返さない。
【００２２】
本実施の形態は、「エコレース」と呼ばれるものを中心とする。エコレースとは、電力会社に限らず、任意のサービス事業者が主催して各家庭の参加を募り、参加する各家庭が行なった省エネ活動の程度をある評価基準にしたがって順位付けし、成績に応じて賞品等の特典が各家庭に与えられる競争形態のことをいう。以下の実施の形態では、賞品はサービス事業者から各家庭に与えられる。
【００２３】
図１を参照して、本発明の第１の実施の形態に係る省エネ推進システムは、サービス事業者が管理しエコレースの登録等を行なうサービスサーバ１０１，１０１Ａ及び１０１Ｂ等と、各家庭に設置され、家庭内の機器毎、又は部屋毎、家庭全体の消費電力や、太陽光発電等の発電電力量、売電電力量等を収集管理するＨＥＭＳ（Ｈｏｍｅ  Ｅｎｅｒｇｙ  Ｍａｎａｇｅｍｅｎｔ  Ｓｙｓｔｅｍ）ＨＥＭＳ装置１０３，１０３Ａ及び１０３Ｂ等と、各家庭のＨＥＭＳ（Ｈｏｍｅ  Ｅｎｅｒｇｙ  Ｍａｎａｇｅｍｅｎｔ  Ｓｙｓｔｅｍ）装置１０３と接続され、サービス事業者が開催するエコレースを管理するためのエコレース管理サーバ１０２とを含む。サービスサーバ１０１，１０１Ａ及び１０１Ｂ、ＨＥＭＳ装置１０３，１０３Ａ及び１０３Ｂ、並びにサービス事業者が１０２エコレースを開催するためのエコレース管理サーバ１０２はいずれも、インターネット１０４を介して接続されている。エコレース管理サーバ１０２は、本発明に係るエネルギ管理サーバの一例である。
【００２４】
以下の説明では、理解を容易にするため、図２に示すように、システムがサービスサーバ１０１とエコレース管理サーバ１０２とＨＥＭＳ装置１０３とを含むものとする。
【００２５】
図３〜図５は、それぞれ、図２におけるサービスサーバ１０１、エコレース管理サーバ１０２、及びＨＥＭＳ装置１０３のより詳細な構成を示している。
【００２６】
《サービスサーバ１０１》
図３を参照して、サービスサーバ１０１は、インターネット１０４に接続された通信部２０１と、通信部２０１に接続されたレース情報登録部２０３及びレース結果取得部２０４と、レース情報登録部２０３に接続された出力を持つレース情報作成部２０２と、レース結果取得部２０４の出力を受けるように接続された入力と、通信部２０１に接続された出力とを持つ特典提供部２０５とを含む。
【００２７】
通信部２０１は、インターネット１０４に接続し、エコレース管理サーバ１０２との間で各種情報の送受信を行なう機能を持つ。
【００２８】
レース情報作成部２０２は、エコレースの開催者からの入力に従い、エコレースの内容を作成する機能を持つ。
【００２９】
レース情報登録部２０３は、エコレース開催に必要な情報（エコレース情報）を作成し、エコレースの開催要求と共にエコレース管理サーバ１０２に送信する機能を持つ。
【００３０】
レース結果取得部２０４はエコレース管理サーバ１０２よりレース結果を受信する機能を持つ。
【００３１】
特典提供部２０５は、レース結果取得部２０４が取得したエコレースの結果から、特典提供の対象者に対して、特典を取得するための情報を送信する機能を持つ。
【００３２】
《エコレース管理サーバ１０２》
図４を参照して、エコレース管理サーバ１０２は、通信部２１１と、通信部２１１に接続され、通信部２１１を介してインターネット１０４上の端末からエコレースの開催要求をエコレース情報とともに受付けるレース開催受付部２１２と、通信部２１１を介してインターネット１０４に接続され、エコレースへの参加を受付けるレース参加受付部２１４と、通信部２１１を介してインターネット１０４に接続され、インターネット１０４上のＨＥＭＳ装置１０３からエコレースに関する評価用データ（後述する）を毎日、定期的に収集し、評価値を算出する評価用データ収集・計算部２１５と、実施期間前のエコレースに関する情報を通信部２１１を介してインターネット１０４上で公開するレース情報公開部２１３とを含む。
【００３３】
エコレース管理サーバ１０２はさらに、レース開催受付部２１２、レース参加受付部２１４、及び評価用データ収集・計算部２１５の出力を受ける入力と、レース情報公開部２１３に接続された出力とを有し、エコレース情報を記憶するレース情報管理部２１７と、レース情報管理部２１７に記憶されたエコレース情報及び評価用データに基づいて、登録者の順位を所定の計算方法で計算するための順位計算部２１６と、レース情報公開部２１３及びレース参加受付部２１４に接続され、開催されているレースへの参加者に関する情報を管理するためのユーザ情報管理部２１８とを含む。
【００３４】
通信部２１１は、インターネットに接続し、サービスサーバ１０１及びＨＥＭＳ装置１０３との間で各種情報の送受信を行なう機能を持つ。
【００３５】
レース開催受付部２１２は、インターネット１０４を介してサービスサーバ１０１のレース情報登録部２０３からエコレース開催要求の入力を受け、ともに送信されてくるエコレース情報に基づいてエコレースの開催が可能かどうかの判定を行なう。エコレースの開催が可能の場合、レース情報管理部２１７にそのエコレースに関するエコレース情報の登録を行なう。
【００３６】
レース情報公開部２１３は、サービスサーバ１０１及びＨＥＭＳ装置１０３からエコレースに関する各種情報の取得要求を受信し、レース情報管理部２１７に管理されているエコレース情報のうち、特にエコレース開催前のものの開催に関する情報を送信する機能を持つ。
【００３７】
レース参加受付部２１４は、ＨＥＭＳ装置１０３から、そのＨＥＭＳ装置１０３を利用しているユーザのエコレースへの参加要求を受信し、レース情報管理部２１７にレースの参加者として登録する機能を持つ。
【００３８】
評価用データ収集・計算部２１５は、エコレースに参加しているＨＥＭＳ装置１０３から、エコレースの順位を決定するために用いる評価値を計算するために必要な評価用データを毎日、定期的に収集し、参加者情報と、エコレース情報とに基づき、ＨＥＭＳ装置１０３ごとに評価値を計算し、その結果を評価用データとともにレース情報管理部２１７に登録する機能を持つ。本実施の形態では、後述するように、評価値は、エコレース情報に記述されている評価式によって行なう。
【００３９】
順位計算部２１６は、レース情報管理部２１７に登録された、特定のエコレースに参加している全ユーザの評価値からエコレースの順位を計算し、レース情報管理部２１７に登録する機能を持つ。エコレースの順位の計算時期は、本実施の形態ではエコレースの終期である。しかし、後述するようにエコレースの開催中でもＨＥＭＳ装置１０３から要求があればその時点でのそのＨＥＭＳ装置１０３の順位を計算し、その結果を送信する。
【００４０】
レース情報管理部２１７は、開催しているエコレースに関する基本情報、参加しているユーザとそのユーザの評価値、及び順位を保存する機能を持つ。
【００４１】
ユーザ情報管理部２１８は、ＨＥＭＳ装置１０３を設置している家庭のユーザ情報を保存する機能を持つ。ここでは１家庭につき代表者１名の情報が登録されていることを想定している。
【００４２】
《ＨＥＭＳ装置１０３》
ＨＥＭＳ装置１０３は、家庭でのエネルギ消費を管理するための装置であるが、後述するように表示部及び入力部を持ち、ユーザとの間の対話により、ユーザからの入力を受けることができる。
【００４３】
通信部２２１は、インターネット１０４に接続され、エコレース管理サーバ１０２との間で各種情報の送受信を行なう機能を持つ。図には示していないが、一般的には、家庭内のネットワークとインターネット１０４との間にはゲートウェイが存在し、ゲートウェイがインターネット１０４上の通信先と接続される。
【００４４】
表示部２２２は、液晶モニタ等のユーザが視覚的に情報を確認できるものであり、エコレース管理サーバ１０２から取得した情報等を表示する機能を持つ。
【００４５】
入力部２２３は、キーボード、マウス、タッチパネル、又は音声等ユーザがＨＥＭＳ装置１０３へ情報を入力するための機能をもつ。ユーザがＨＥＭＳ装置１０３を操作するときに利用される。
【００４６】
レース情報取得部２２４は、エコレース管理サーバ１０２より、開催されるエコレースの情報を取得する機能を持つ
順位情報取得部２２５は、エコレース管理サーバ１０２より、参加中のエコレースにおける、当該ＨＥＭＳ装置１０３の利用ユーザの現在順位を取得する機能を持つ。
【００４７】
レース参加登録部２２６は、エコレース管理サーバ１０２に対して、ＨＥＭＳ装置１０３の利用ユーザがエコレースに参加依頼を送信する機能を持つ。
【００４８】
電力情報収集部２２７は、家庭内に接続されている各家電機器等から消費電力量、発電電力量、及び売電電力量等を収集し、評価情報管理部に保存する機能を持つ。ここでＨＥＭＳ装置１０３は、家庭内のエアコン、冷蔵庫、洗濯機、テレビ、照明装置等の家電機器、分電盤、及び太陽光発電システムのパワーコンディショナー装置に接続され、各機器の消費電力量、家庭全体の消費電力量、太陽光発電の発電電力量、及び売電電力量等を収集することができるものとする。
【００４９】
電力情報管理部２２８は、前述した家庭内から収集した電力情報を保存する機能を持つ。
【００５０】
評価情報通知部２２９は、電力情報管理部２２８から、参加中のエコレースの順位決定に必要な電力データをエコレース管理サーバ１０２に送信する機能を持つ。
【００５１】
《プログラム構造》
図６以降では、図１〜図５で説明したシステムにおいて、エコレースを実施する過程及びそれを実現するためのプログラムの制御構造について順を追って説明する。
【００５２】
図６は、サービス事業者がエコレースの開催を決定し、エコレース管理サーバ１０２に開催するエコレースの情報を登録するまでの処理を示す。図６を参照して、まず、ステップ１１１（以下「ステップ」を単に「Ｓ」と書く。）サービスサーバ１０１は、開催するエコレースの情報をエコレース管理サーバ１０２に送信し、レースの開催登録を依頼する。
【００５３】
エコレース管理サーバ１０２は、依頼を受信すると（Ｓ１１２）、レース開催受付部２１２において、依頼されたエコレースが開催可能かどうかを確認する。具体的には、レースの実施期間が開催可能な期間であるか、評価情報が記載されているか、特典情報が記載されているか、等、エコレース情報の内容に不備がないかどうか（Ｓ１１３）、又は、登録されているレースが多すぎてサーバが管理できるレースの数を超えてしまっていないか（Ｓ１１４）を確認する。
【００５４】
確認の結果、開催が不可能であれば、開催が不可能であることと、その理由とをサービスサーバ１０１に通知する（Ｓ１１５）。
【００５５】
エコレース管理サーバ１０２は、Ｓ１１３及びＳ１１４の判定の結果、レースが開催可能であれば、受信した情報をレース情報管理部２１７にエコレースの基本情報として登録し、レースＩＤ（識別子）を付与する（Ｓ１１６）。レースＩＤはレース毎につけられるユニークなＩＤであり、以降、そのエコレースを識別するために用いられる。
【００５６】
エコレース管理サーバ１０２はさらに、レース開催の登録が完了したことをレースＩＤとともにサービスサーバ１０１に通知して処理を終了する（Ｓ１１７）。
【００５７】
図７を参照して、エコレース情報は以下のようなものを含む。なお、図７に示すエコレース情報例は、説明をわかりやすくするため、ＸＭＬ形式で示してある。もちろんエコレース情報の形式はＸＭＬに限定されるわけではない。しかし、ＸＭＬ形式であれば、＜エコレース情報＞タグで一つのエコレースの情報を表現できるため、複数のエコレースの登録を一度にエコレース管理サーバ１０２に依頼することも可能である。エコレースの登録に必要な情報は、レース名、主催者、レースの実施期間、レースの順位を決定するための評価方法、及びレースの成績優良者に与えられる特典の情報を含む。図７においては、これらは全て対応する名前の開始タグ及び終了タグにより囲まれている。
【００５８】
例えば評価方法は、〈評価方法〉タグと〈／評価方法〉タグとによりはさまれている。評価方法は、〈記述〉タグにより記載される、利用ユーザに対して提示するための文章と、<評価式>タグにより記載される、評価値を求めるための評価式と、〈評価用データ〉タグにより記載される、評価式に必要な電力量データの情報とを含む。評価用データは、この例では、太陽光発電の発電電力量と、太陽光発電の売電電力量と、家庭の総消費電力量とを含む。評価式は、「（太陽光発電電力量−太陽光売電電力量）／総消費電力量×１００」とされている。この式は、各ユーザの家庭での総消費エネルギ消費量に対し、当該ユーザの施設において、環境負荷を与えない太陽光発電装置によって発電され、かつ当該ユーザの施設において消費されたエネルギ消費量の割合を算出する式ということができる。
【００５９】
図７に示す例では、特典は、〈賞品〉タグとその順位属性とによって分類される。１位のユーザには商品券１万円分が送られる。２位から１０位のユーザには商品券３０００円分が提供される。順位=「ａｌｌ」と記載されている〈賞品〉タグは、参加者全員に１割引のクーポンが提供されることを示す。
【００６０】
図８を参照して、図７に記載のエコレース情報をレース情報管理部２１７で管理するためのテーブルが示されており、このテーブルの各エントリが１レースに対応する。各エントリは、レースＩＤと、レース名と、開催者名と、開催期間と、評価方法と、特典に関する情報とを含む。各エコレース情報は、図７に示すレース概要に記載された各情報を格納する。各エントリには、レース毎にユニークなレースＩＤが付与され、このレースＩＤを使用して管理される。
【００６１】
図９を参照して、ユーザがエコレースへの参加登録を行なう処理について説明する。
ここで、本実施の形態においては、ＨＥＭＳ装置１０３の導入の際に、一家庭毎にユニークなユーザＩＤが割り当てられるものとする。それに伴い、図１０に示すユーザ情報がエコレース管理サーバ１０２のユーザ情報管理部２１８に記憶される。図１０を参照して、ユーザ情報は、ユーザＩＤと、その家庭の代表者の氏名と、特典の提供に用いられる連絡先と、そのユーザが参加しているエコレースのエコレースＩＤとを含む。
【００６２】
再び図９を参照して、最初にＨＥＭＳ装置１０３は、エコレース管理サーバ１０２に対して、レース情報取得部２２４に対して、参加可能なエコレースに関する情報の送信依頼を行なう（Ｓ１４１）。参加可能なエコレースとは、典型的には、エコレースの開催が予定されているが、まだ実施期間に至っていないエコレースのことをいう。もちろん、これ以外の条件を付してもよい。
【００６３】
エコレース管理サーバ１０２では、レース情報公開部２１３が、ＨＥＭＳ装置１０３からの依頼を受信する（Ｓ１４２）。これに応答して、レース情報管理部２１７に登録されているエコレースの中から実施期間前であるエコレースの情報があるか否かを確認する（Ｓ１４３）。確認の結果、参加登録可能なエコレースがなければ、その旨をＨＥＭＳ装置１０３に送信する。ＨＥＭＳ装置１０３では参加可能なエコレースがないことを表示部２２２に表示する（Ｓ１４４）。
【００６４】
Ｓ１４３において実施前のエコレースがあれば、そのエコレースに関する情報をＨＥＭＳ装置１０３に送信する（Ｓ１４５）。送信する情報は図７に示した情報と同等の内容である。
【００６５】
ＨＥＭＳ装置１０３は、レース情報を受信すると、表示部２２２上にその内容を表示する（Ｓ１４６）。ユーザは、この情報を見て、図５に示す入力部２２３を使用し、希望のエコレースに対する参加の操作を行なうことができる。
【００６６】
レース参加を希望する操作がユーザにより入力部２２３を介してなされると、レース参加登録部２２６が、レースＩＤを指定して、レースへの参加依頼をエコレース管理サーバ１０２に送信する（Ｓ１４７）。
【００６７】
エコレース管理サーバ１０２のレース参加受付部２１４は、このレース参加依頼を受信する。レース参加受付部２１４は、依頼元のＨＥＭＳ装置１０３に割り当てられているユーザＩＤと、参加依頼内のレースＩＤとについて参加者情報を作成し、レース情報管理部２１７内に、参加依頼内のレースＩＤとともに参加者情報として登録する（Ｓ１４８）。参加者情報については図１２を参照して後述する。登録が完了すると、レース参加受付部２１４は、依頼元のＨＥＭＳ装置１０３に対して、参加登録完了を通知する。
【００６８】
ＨＥＭＳ装置１０３では、参加登録完了の通知を受けて、表示部２２２上に参加登録完了のメッセージを表示する（Ｓ１４９）。ＨＥＭＳ装置１０３はさらに、電力情報管理部２２８に、参加するエコレースのレースＩＤと、評価のためにエコレース管理サーバ１０２に送信しなければならない電力情報の種類とを記憶する。必要な電力情報の種類は、図７に示す〈評価用データ〉タグと同様の情報により知ることができる。
【００６９】
図１１を参照して、エコレース期間中の順位の決定処理を実現するためのプログラムは以下のような制御構造を持つ。なお、本実施の形態では、あるエコレースについて、１日に１回、予め決められた時刻に各ＨＥＭＳ装置１０３について評価値を算出し、算出された評価値に基づいてエコレースの順位（途中順位）を決定するものとする。ＨＥＭＳ装置１０３では、電力情報収集部２２７によって、家庭内の様々な機器から電力情報が所定時間ごとに収集され、それぞれ電力情報管理部２２８に記憶されているものとする。総消費電力量は分電盤から収集され、太陽光発電システムの総発電電力量及び売電電力量は、太陽光発電システムのパワーコンディショナーから収集される。
【００７０】
図１１を参照して、評価情報通知部２２９は、予め定められている時間になると、参加しているエコレースにおいて順位の評価に必要とされている電力データを電力情報管理部２２８から読出し、ユーザＩＤ、レースＩＤとともに、エコレース管理サーバ１０２に送信する（Ｓ３０１）。図７で取り上げたエコレースの場合は、送信される電力データは、家庭の全体の消費電力量と、ソーラー発電の発電電力量と、ソーラー発電の売電電力量とである。図１１には、エコレース管理サーバ１０２の側のプログラムとして１つしか示していないが、実際には実施中のエコレースごとに別々のプロセスが動いており、レースＩＤによりメッセージが適切なプロセスに振分けられる。
【００７１】
エコレース管理サーバ１０２では、評価用データ収集・計算部２１５が、ＨＥＭＳ装置１０３から評価用データを受信する（Ｓ３０２）。レース情報管理部２１７で管理している参加者情報の該当するレースＩＤ、ユーザＩＤのデータの累積評価用データに、受信した評価用データを加え、さらに、そのエコレースについて定められている評価式を用い、本日の評価値を算出し参加者情報に登録する（Ｓ３０３）。
【００７２】
さらにエコレース管理サーバ１０２は、累積評価用データに基づき、レース開始から本日までの累積評価値を計算し、同様に参加者情報に登録する（Ｓ３０４）。この処理が、あるエコレースの参加者情報に登録されている全てのユーザＩＤからの評価用データの収集と評価値の計算が終わるまで繰返される（Ｓ３０５）。このエコレースの全参加者について本日分の評価値計算が完了すると、参加者情報の累積評価値から、各参加者の本日までの順位を算出し、本日の評価値から本日のみの順位を算出し、いずれも参加者情報に保存する（Ｓ３０６）。
【００７３】
図１２を参照して、レース情報管理部２１７で保存している参加者情報は、ユーザが参加しているエコレースのレースＩＤと、ユーザＩＤとを含み、これらによってレース情報とユーザ情報とに紐付けられている。参加者情報はさらに、同じレースＩＤの全ての参加者情報から求められる累積順位及び本日順位と、レース情報で記憶されている評価式を用いて計算される累積の評価値と、ＨＥＭＳ装置１０３から受信した電力データのレース開始からの累計と、本日の評価値と含む。もちろん本発明はこのような実施の形態には限定されない。例えば、参加者情報として、エコレース実施期間中、全ての日について、各ユーザの評価値を記憶するようにしても良い。
【００７４】
図１３に、図７で示したレースを例として、ＨＥＭＳ装置１０３から送信される評価値情報の例を示す。図７と同じくこの例では、評価値情報はｘｍｌ形式で記述されている。この評価値情報は、ユーザＩＤ及びレースＩＤと、日付と、評価用の電力データとを含む。評価用データは、本日の消費電力量と、本日の発電電力量と、本日の売電電力量とを含む。
【００７５】
エコレース管理サーバ１０２は、このデータを受信すると、ユーザＩＤとレースＩＤとから紐付けされる参加者情報の累積評価用データにこれらの値を加える。そして、累積評評価値と本日の評価値とを計算する。図７及び図１３に示す例では、本日の評価値は次のような式から求められる。
【００７６】
（９００−０）/２０００×１００＝４５
図１４を参照して、順位を表示する処理を実行する際、ＨＥＭＳ装置１０３は、順位情報取得部２２５において、ユーザＩＤとレースＩＤを指定して、エコレース管理サーバ１０２へ順位の送信依頼を送信する（Ｓ４０１）。
【００７７】
エコレース管理サーバ１０２では、順位情報の送信依頼をレース情報公開部２１３が受信する（Ｓ４０２）。これに応答して、レース情報管理部２１７の参加者情報に基づいて、該当するユーザＩＤのユーザがそのレースの参加者かどうかを確認する（Ｓ４０３）。ユーザがそのエコレースの参加者でなければエラーを通知する（Ｓ４０４）。ＨＥＭＳ装置１０３は、表示部２２２にこのエラーの通知を表示する。ユーザがエコレースの参加者であるばあいは、エコレース管理サーバ１０２は、そのユーザの累積順位と、本日順位とをレース情報管理部２１７から取得し、レースの参加者数とともにＨＥＭＳ装置１０３へ送信する（Ｓ４０５）。エコレースの参加者数は、参加者情報のレコードのうち、該当するレースＩＤを持つレコードの数を数えることで求められる。
【００７８】
図１５を参照して、ＨＥＭＳ装置１０３の表示部２２２はこの際、ユーザの累積順位だけではなく、本日の順位も表示する。この結果、そのユーザの家庭のその日の生活が他の家庭と比べどの程度省エネだったかが分かる。ユーザは、この表示に基づき、その後の順位をさらに上げるためにどのような生活をすればよいかを考えることができる。すなわち、より省エネルギな生活を送るための参考とすることができる。ＨＥＭＳ装置１０３で収集している機器ごと電力量データとを使って分析することにより、どの機器のどういう設定が問題か、また効果があるかを通知することが可能となる。
【００７９】
再び図１４を参照して、ＨＥＭＳ装置１０３では、順位情報取得部２２５がこの順位情報を受信する（Ｓ４０６）。これに応答して、表示部２２２が累積の順位と本日の順位とを表示する（Ｓ４０７）。
【００８０】
図１６を参照して、エコレース終了時には、ユーザに対する特典の提供と、ユーザへの順位の通知とを以下のようにして行なう。本実施の形態では、エコレース管理サーバ１０２は、エコレースごとに、毎日決まった時間に以下の処理を実行する。エコレース管理サーバ１０２は、エコレースの実施期間が終了かどうかの確認を行なう（Ｓ５０１）。エコレースの実施期間が終了していなければこの処理を終了する。エコレースの実施期間が終了していれば、該当するエコレースの参加者情報を参照し、レースに参加している全ユーザの累積評価値から最終的な順位を決定する（Ｓ５０２）。レース情報公開部２１３は、レース情報管理部２１７のレース情報からそのエコレースで特典を受ける対象となる順位を確認し、参加者情報から特典を受ける対象となるユーザＩＤを取得する。レース情報公開部２１３はさらに、該当するユーザの氏名と、特典の通知先の情報とをユーザ情報管理部２１８から取得し、順位の情報とともにサービスサーバ１０１に通知する（Ｓ５０３）。
【００８１】
サービスサーバ１０１では、レース結果取得部２０４がエコレースの結果の情報を受信する（Ｓ５０４）。サービスサーバ１０１の特典提供部２０５は、受信した結果情報にある特典対象者の各通知先に対して、特典の受け方を通知して処理を終了する（Ｓ５０５）。なお、この実施の形態では特典提供部２０５はサービスサーバ１０１内に設けられているが、本発明はそのような実施の形態には限定されない。エコレース管理サーバ１０２がレース結果に基づいて特典を該当ユーザに通知するようにしてもよい。
【００８２】
例えば、特典の内容が図７に示したような場合を想定する。特典の通知先は、ＨＥＭＳ装置１０３を利用している家庭の代表者のメールアドレスとする。特典提供部２０５は、商品券又はクーポンがダウンロードできるＷＥＢページのＵＲＬと、そのＵＲＬにアクセスするためのＩＤとパスワードとを記載した電子メールを該当するＨＥＭＳ装置１０３について登録されているメールアドレスに送信する。この電子メールを受信したユーザはそのＵＲＬをアクセスし、商品券又はクーポンを得る。こうした仕組は、既存の技術を組合わせて容易に実現できる。
【００８３】
なお、このような特典は、原則としてエコレース主催者が負担する。後述するようにエコレース主催者にとってエコレースを開催するメリットがあるため、メリットに応じた適切な額となることが期待できる。
【００８４】
図７に示す例ではまた、参加者全員にクーポンが提供されることになっている。この場合、クーポンを電子メールで送信することになっており、かつ電子メールの送信者がエコレース主催者であれば、エコレース主催者は、参加者全員の連絡先を入手できる。エコレース主催者は何らかのサービスを提供している事業者であることが想定されているので、エコレース主催者は新たな顧客の情報を得ることができる。この点は、エコレースを主催するインセンティブとなる。
【００８５】
しかしこのような方式は、個人情報保護の観点から好ましくないとされる可能性がある。その場合は、エコレース管理サーバ１０２とサービスサーバ１０１とを個人情報に関しては完全に分離するとよい。すなわち、特典を提供するためのＵＲＬをレース情報としてエコレース管理サーバ１０２に保存しておき、エコレース終了後、特典対象者にエコレース管理サーバ１０２からそのＵＲＬを通知するようにする。エコレース主催者に対して
レース参加者の個人情報は与えられないので、個人情報の保護に効果的である。この場合でも、例えばクーポンとしてエコレース主催者に関連するサービス事業者の商品を購入するために特に有利な特典を付与したり、クーポンにエコレース主催者の広告を付したりすることにより、特典を受けたユーザが、エコレース主催者に関連するサービス事業者に有利な消費行動をとることが考えられる。したがって、サービス事業者がエコレースを主催するメリットは十分あるといえる。
【００８６】
なお、本実施の形態では、エコレース終了後には、図１４で説明したのと同様の処理で、ユーザに対して最終的な順位を表示することができる。
【００８７】
以上説明したように、本実施の形態に係るシステムによれば、サービス事業者が主催するエコレースに電力の消費家である一般家庭が参加して、他の家庭との省エネ効果を競いあうことができる。その際、エコレースの結果として何らかの特典を得ることができるというインセンティブを与えることで、楽しく、積極的、かつ継続的に省エネ活動に取組むことが期待される。エコレースはサービス事業者がそれぞれ個別にその内容について工夫して主催することができるので、エコレースごとに参加者が新たな気持ちで参加でき、省エネ活動を継続することができる。
【００８８】
上記実施の形態では、エコレース主催者が省エネ効果の評価方法を決定している。しかし本発明はそのような実施の形態には限定されな。エコレース管理サーバ１０２に、いくつかの評価方法を準備しておき、その中からエコレース主催者が適宜選択するという方法をとっても良い。
【００８９】
上記実施の形態では、エコレースの順位をＨＥＭＳ装置１０３が取得する際、他の情報については特に利用していない。しかし本発明はそのような実施の形態に限定されるわけではない。自分よりも上位の参加者の評価と自分の評価との差も取得し、あとどれだけ節約すれば、順位を上げることができるかを表示する等の方法を取ることもできる。他の家庭との良い意味での競争意識を刺激することにより、ユーザの省エネ活動への取組み意識を向上することもできる。
【００９０】
また、エコレースが開催されてしばらくすると、下位の順位のユーザが上位に進出できる見込みがほとんどなくなってしまう可能性がないとはいえない。その結果、商品の取得が絶望的になると参加者がエコ活動を諦めてしまう危険性がある。そのような状況を回避するために、エコレース主催者は、エコレース開催中にその参加者に限定してミニレースを開催するようにしても良い。例えば期間中のある一日等のように特定の短い期間で結果を集計して特別な特典を授与したり、通常とは異なる基準で評価をすることで特色のあるユーザに得点を授与したりすることもできる。毎日、優秀な結果を残したユーザに日替わりで特典を付与することもできる。こうすることで、エコレースに参加している全てのユーザがその終了までエコ活動を継続することが可能となる。
【００９１】
なお、レース開催中は、エコレース参加者に対してＨＥＭＳ装置１０３が表示する画面に、独占的にエコレース主催者の関連するサービス事業の広告を表示できるようにしてもよい。こうした方法をとることで、エコレース主催者の事業をユーザに理解してもらうことが可能になり、エコレース主催者にとってレースを主催するメリットとなるとなる。したがって、多くのエコレース主催者による多数のエコレースを開催可能となることが期待できる。
【００９２】
上記実施の形態では、ＨＥＭＳ装置１０３がレース情報を取得し、レース情報の記載にしたがい、エコレースでの評価に用いる電力情報を分電盤等から取得して定期的にエコレース管理サーバ１０２に通知する。しかし本発明はそのような実施の形態には限定されない。ＨＥＭＳ装置１０３は原則としてその管理する全ての電気機器の消費電力（発電電力）に関する情報を取得する。したがって、エコレース管理サーバ１０２が各家庭のＨＥＭＳ装置１０３から、評価に用いる電力データを定期的に取得するようにしても良い。
【００９３】
上記実施の形態では、エコレース管理サーバ１０２で、評価に用いる電力データに基づいて、図７に示すようなエコレース情報により定められる評価式で計算して評価値を得ている。しかし本発明はそのような実施の形態には限定されない。評価式までＨＥＭＳ装置１０３に通知し、ＨＥＭＳ装置１０３が電力データに基づいて評価式にしたがい評価値を計算し、評価値だけをエコレース管理サーバ１０２に送信するようにしてもよい。
【００９４】
上記実施の形態により、以下のような効果を奏することもできる。すなわち、上記実施の形態では、エコを対象とする評価値を基準としてエコレースを行なう。したがって、エコレース主催者であるサービス事業者は、エコに対して真剣な取組みを行なっていると言えるため、企業のイメージアップを図ることができる。さらに、レース自体が省エネに貢献することであると言うことができ、エコレース管理サーバ１０２で累積した評価値から、具体的にどの程度の環境貢献ができたかも言えることになる。
【００９５】
今回開示された実施の形態は単に例示であって、本発明が上記した実施の形態のみに制限されるわけではない。本発明の範囲は、発明の詳細な説明の記載を参酌した上で、特許請求の範囲の各請求項によって示され、そこに記載された文言と均等の意味及び範囲内での全ての変更を含む。
【符号の説明】
【００９６】
１０１，１０１Ａ，１０１Ｂ  サービスサーバ
１０２  エコレース管理サーバ
１０３，１０３Ａ，１０３Ｂ  ＨＥＭＳ装置
２０３  レース情報登録部
２０４  レース結果取得部
２０５  特典提供部
２１２  レース開催受付部
２１３  レース情報公開部
２１４  レース参加受付部
２１５  評価用データ収集・計算部
２１６  順位計算部
２１７  レース情報管理部
２１８  ユーザ情報管理部
２２２  表示部
２２３  入力部
２２４  レース情報取得部
２２５  順位情報取得部
２２６  レース参加登録部
【図１】
0005654832.tif 000002
【図２】
0005654832.tif 000003
【図３】
0005654832.tif 000004
【図４】
0005654832.tif 000005
【図５】
0005654832.tif 000006
【図６】
0005654832.tif 000007
【図７】
0005654832.tif 000008
【図８】
0005654832.tif 000009
【図９】
0005654832.tif 000010
【図１０】
0005654832.tif 000011
【図１１】
0005654832.tif 000012
【図１２】
0005654832.tif 000013
【図１３】
0005654832.tif 000014
【図１４】
0005654832.tif 000015
【図１５】
0005654832.tif 000016
【図１６】
0005654832.tif 000017